(57)【要約】      （修正有）【課題】無線通信において基地局からメッセージを要求するユーザ機器装置を提供する。【解決手段】ＵＥ装置が、ターゲットセカンダリ基地局がＭＡＣメッセージをＵＥ装置に送信することを要求する方法において、ＳｅＮＢ変更手順の一部として、ＵＥ装置は、ターゲットセカンダリ基地局（ターゲットＳｅＮＢ）がＭＡＣ（Ｍｅｄｉａ  Ａｃｃｅｓｓ  Ｃｏｎｔｒｏｌ）メッセージをＵＥ装置に送信するという要求を生成する。要求は、要求を受信することに応答して、ターゲットＳｅＮＢが送信すべき特定のＭＡＣ制御要素を指定する。要求を受信すると、ターゲットＳｅＮＢは、要求された場合、要求されたＭＡＣメッセージをＴＡ情報と共にＵＥ装置に送信する。ＵＥ装置は、要求されたＭＡＣメッセージがターゲットＳｅＮＢからいつ受信されるかに少なくとも部分的に基づいて、ＳｅＮＢ変更手順がいつ完了したかを判定する。【選択図】図４
2020123986.tif 000002
【特許請求の範囲】
【請求項１】
マスタ基地局（ＭｅＮＢ）及びソースセカンダリ基地局（Ｓ−ＳｅＮＢ）に接続されているユーザ機器（ＵＥ）装置のための方法であって、
前記ＵＥ装置によるターゲットセカンダリ基地局（Ｔ−ＳｅＮＢ）へのＲＡＣＨ（Ｒａｎｄｏｍ  Ａｃｃｅｓｓ  Ｃｈａｎｎｅｌ）送信を含まない、前記Ｓ−ＳｅＮＢから前記Ｔ−ＳｅＮＢへのＳｅＮＢ変更手順において、前記ＵＥ装置がＵＥ競合解決識別（ＵＥ  Ｃｏｎｔｅｎｔｉｏｎ  Ｒｅｓｏｌｕｔｉｏｎ  Ｉｄｅｎｔｉｔｙ）を前記Ｔ−ＳｅＮＢから受信するステップと、
前記ＵＥ装置が前記ＵＥ競合解決識別を受信したとき、前記ＵＥ装置の前記ＳｅＮＢ変更手順を完了するステップと、を含む、方法。
【請求項２】
マスタ基地局（ＭｅＮＢ）及びソースセカンダリ基地局（Ｓ−ＳｅＮＢ）に接続されているユーザ機器（ＵＥ）装置であって、
前記ＵＥ装置によるターゲットセカンダリ基地局（Ｔ−ＳｅＮＢ）へのＲＡＣＨ（Ｒａｎｄｏｍ  Ａｃｃｅｓｓ  Ｃｈａｎｎｅｌ）送信を含まない、前記Ｓ−ＳｅＮＢから前記Ｔ−ＳｅＮＢへのＳｅＮＢ変更手順において、ＵＥ競合解決識別（ＵＥ  Ｃｏｎｔｅｎｔｉｏｎ  Ｒｅｓｏｌｕｔｉｏｎ  Ｉｄｅｎｔｉｔｙ）を前記Ｔ−ＳｅＮＢから受信する受信部と、を備え、
前記制御部は、前記受信部が前記ＵＥ競合解決識別を受信したとき、前記ＵＥの前記ＳｅＮＢ変更手順を完了する、ＵＥ装置。
【請求項３】
マスタ基地局（ＭｅＮＢ）及びソースセカンダリ基地局（Ｓ−ＳｅＮＢ）に接続されているユーザ機器（ＵＥ）装置を制御するためのプロセッサであって、
前記ＵＥ装置によるターゲットセカンダリ基地局（Ｔ−ＳｅＮＢ）へのＲＡＣＨ（Ｒａｎｄｏｍ  Ａｃｃｅｓｓ  Ｃｈａｎｎｅｌ）送信を含まない、前記Ｓ−ＳｅＮＢから前記Ｔ−ＳｅＮＢへのＳｅＮＢ変更手順において、ＵＥ競合解決識別（ＵＥ  Ｃｏｎｔｅｎｔｉｏｎ  Ｒｅｓｏｌｕｔｉｏｎ  Ｉｄｅｎｔｉｔｙ）を前記Ｔ−ＳｅＮＢから受信する処理と、
前記ＵＥ競合解決識別を受信したとき、前記ＵＥの前記ＳｅＮＢ変更手順を完了する処理と、を実行する、プロセッサ。
【請求項４】
ユーザ機器（ＵＥ）装置によるターゲットセカンダリ基地局（Ｔ−ＳｅＮＢ）へのＲＡＣＨ（Ｒａｎｄｏｍ  Ａｃｃｅｓｓ  Ｃｈａｎｎｅｌ）送信を含まない、ソースセカンダリ基地局（Ｓ−ＳｅＮＢ）から前記Ｔ−ＳｅＮＢへの前記ＵＥ装置のＳｅＮＢ変更手順において、ＵＥ競合解決識別（ＵＥ  Ｃｏｎｔｅｎｔｉｏｎ  Ｒｅｓｏｌｕｔｉｏｎ  Ｉｄｅｎｔｉｔｙ）を前記ＵＥ装置へ送信する送信部を備え、
前記ＵＥ競合解決識別は、前記ＵＥ装置がその受信を契機に前記ＳｅＮＢ変更手順を完了させるためのものである、Ｔ−ＳｅＮＢ。
【請求項５】
マスタ基地局（ＭｅＮＢ）及びソースセカンダリ基地局（Ｓ−ＳｅＮＢ）に接続されているユーザ機器（ＵＥ）装置のための方法であって、
前記ＵＥ装置によるターゲットセカンダリ基地局（Ｔ−ＳｅＮＢ）へのＲＡＣＨ（Ｒａｎｄｏｍ  Ａｃｃｅｓｓ  Ｃｈａｎｎｅｌ）送信を含まない、前記Ｓ−ＳｅＮＢから前記Ｔ−ＳｅＮＢへのＳｅＮＢ変更手順において、前記ＵＥ装置が、上りリンク信号を送信し、
前記ＵＥ装置が、前記上りリンク信号の受信に応じて前記Ｔ−ＳｅＮＢが送信したＵＥ競合解決識別（ＵＥ  Ｃｏｎｔｅｎｔｉｏｎ  Ｒｅｓｏｌｕｔｉｏｎ  Ｉｄｅｎｔｉｔｙ）を受信し、
前記ＵＥ装置が、前記ＵＥ競合解決識別を受信したとき、前記ＵＥ装置の前記ＳｅＮＢ変更手順を完了する、方法。
【請求項６】
マスタ基地局（ＭｅＮＢ）及びソースセカンダリ基地局（Ｓ−ＳｅＮＢ）に接続されているユーザ機器（ＵＥ）装置であって、
前記ＵＥ装置によるターゲットセカンダリ基地局（Ｔ−ＳｅＮＢ）へのＲＡＣＨ（Ｒａｎｄｏｍ  Ａｃｃｅｓｓ  Ｃｈａｎｎｅｌ）送信を含まない、前記Ｓ−ＳｅＮＢから前記Ｔ−ＳｅＮＢへのＳｅＮＢ変更手順において、上りリンク信号を送信する送信部と、
前記上りリンク信号の受信に応じて前記Ｔ−ＳｅＮＢが送信したＵＥ競合解決識別（ＵＥ  Ｃｏｎｔｅｎｔｉｏｎ  Ｒｅｓｏｌｕｔｉｏｎ  Ｉｄｅｎｔｉｔｙ）を受信する受信部と、を備え、
前記制御部は、前記受信部が、前記ＵＥ競合解決識別を受信したとき、前記ＵＥ装置の前記ＳｅＮＢ変更手順を完了する、ＵＥ装置。
【請求項７】
マスタ基地局（ＭｅＮＢ）及びソースセカンダリ基地局（Ｓ−ＳｅＮＢ）に接続されているユーザ機器（ＵＥ）装置を制御するためのプロセッサであって、
前記ＵＥ装置によるターゲットセカンダリ基地局（Ｔ−ＳｅＮＢ）へのＲＡＣＨ（Ｒａｎｄｏｍ  Ａｃｃｅｓｓ  Ｃｈａｎｎｅｌ）送信を含まない、前記Ｓ−ＳｅＮＢから前記Ｔ−ＳｅＮＢへのＳｅＮＢ変更手順において、上りリンク信号を送信する処理と、
前記上りリンク信号の受信に応じて前記Ｔ−ＳｅＮＢが送信したＵＥ競合解決識別（ＵＥ  Ｃｏｎｔｅｎｔｉｏｎ  Ｒｅｓｏｌｕｔｉｏｎ  Ｉｄｅｎｔｉｔｙ）を受信する処理と、
前記ＵＥ競合解決識別を受信したとき、前記ＵＥ装置の前記ＳｅＮＢ変更手順を完了する処理と、を実行する、プロセッサ。
【請求項８】
ユーザ機器（ＵＥ）装置によるターゲットセカンダリ基地局（Ｔ−ＳｅＮＢ）へのＲＡＣＨ（Ｒａｎｄｏｍ  Ａｃｃｅｓｓ  Ｃｈａｎｎｅｌ）送信を含まない、ソースセカンダリ基地局（Ｓ−ＳｅＮＢ）から前記Ｔ−ＳｅＮＢへの前記ＵＥ装置のＳｅＮＢ変更手順において、前記ＵＥ装置から、上りリンク信号を受信する受信部と、
前記上りリンク信号の受信に応じて、ＵＥ競合解決識別（ＵＥ  Ｃｏｎｔｅｎｔｉｏｎ  Ｒｅｓｏｌｕｔｉｏｎ  Ｉｄｅｎｔｉｔｙ）を前記ＵＥ装置に送信する送信部と、を備え、
前記ＵＥ競合解決識別は、前記ＵＥ装置がその受信を契機に前記ＳｅＮＢ変更手順を完了させるためのものである、Ｔ−ＳｅＮＢ。
【請求項９】
マスタ基地局（ＭｅＮＢ）及びソースセカンダリ基地局（Ｓ−ＳｅＮＢ）に接続されているユーザ機器（ＵＥ）装置のための方法であって、
前記ＵＥ装置によるターゲットセカンダリ基地局へのＲＡＣＨ（Ｒａｎｄｏｍ  Ａｃｃｅｓｓ  Ｃｈａｎｎｅｌ）送信を含まない、前記Ｓ−ＳｅＮＢからターゲットセカンダリ基地局（Ｔ−ＳｅＮＢ）へのＳｅＮＢ変更手順において、前記Ｔ−ＳｅＮＢがＳｅＮＢ再設定完了メッセージを前記ＭｅＮＢから受信し、
前記ＵＥ装置が、前記Ｔ−ＳｅＮＢがＳｅＮＢ再設定完了メッセージを前記ＭｅＮＢから受信した後に、上りリンク信号を送信し、
前記ＵＥ装置が、前記上りリンク信号の受信に応じて前記Ｔ−ＳｅＮＢが送信したＵＥ競合解決識別（ＵＥ  Ｃｏｎｔｅｎｔｉｏｎ  Ｒｅｓｏｌｕｔｉｏｎ  Ｉｄｅｎｔｉｔｙ）を受信し、
前記ＵＥ装置が、前記ＵＥ競合解決識別を受信したとき、前記ＵＥ装置の前記ＳｅＮＢ変更手順を完了する、方法。
【請求項１０】
マスタ基地局（ＭｅＮＢ）及びソースセカンダリ基地局（Ｓ−ＳｅＮＢ）に接続されているユーザ機器（ＵＥ）装置であって、
前記ＵＥ装置によるターゲットセカンダリ基地局（Ｔ−ＳｅＮＢ）へのＲＡＣＨ（Ｒａｎｄｏｍ  Ａｃｃｅｓｓ  Ｃｈａｎｎｅｌ）送信を含まない、前記Ｓ−ＳｅＮＢからターゲットセカンダリ基地局（Ｔ−ＳｅＮＢ）へのＳｅＮＢ変更手順において、前記Ｔ−ＳｅＮＢがＳｅＮＢ再設定完了メッセージを前記ＭｅＮＢから受信した後に、上りリンク信号を送信する送信部と、
前記上りリンク信号の受信に応じて前記Ｔ−ＳｅＮＢが送信したＵＥ競合解決識別（ＵＥ  Ｃｏｎｔｅｎｔｉｏｎ  Ｒｅｓｏｌｕｔｉｏｎ  Ｉｄｅｎｔｉｔｙ）を受信する受信部と、を備え
前記制御部は、前記受信部が、前記ＵＥ競合解決識別を受信したとき、前記ＵＥ装置の前記ＳｅＮＢ変更手順を完了する、ＵＥ装置。
【請求項１１】
マスタ基地局（ＭｅＮＢ）及びソースセカンダリ基地局（Ｓ−ＳｅＮＢ）に接続されているユーザ機器（ＵＥ）装置のためのプロセッサであって、
前記ＵＥ装置によるターゲットセカンダリ基地局（Ｔ−ＳｅＮＢ）へのＲＡＣＨ（Ｒａｎｄｏｍ  Ａｃｃｅｓｓ  Ｃｈａｎｎｅｌ）送信を含まない、前記Ｓ−ＳｅＮＢから前記Ｔ−ＳｅＮＢへのＳｅＮＢ変更手順において、前記Ｔ−ＳｅＮＢがＳｅＮＢ再設定完了メッセージを前記ＭｅＮＢから受信した後に、上りリンク信号を送信する処理と、
前記上りリンク信号の受信に応じて前記Ｔ−ＳｅＮＢが送信したＵＥ競合解決識別（ＵＥ  Ｃｏｎｔｅｎｔｉｏｎ  Ｒｅｓｏｌｕｔｉｏｎ  Ｉｄｅｎｔｉｔｙ）を受信する処理と、
前記ＵＥ競合解決識別を受信したとき、前記ＵＥ装置の前記ＳｅＮＢ変更手順を完了する処理と、を実行する、プロセッサ。
【請求項１２】
ユーザ機器（ＵＥ）装置によるターゲットセカンダリ基地局（Ｔ−ＳｅＮＢ）へのＲＡＣＨ（Ｒａｎｄｏｍ  Ａｃｃｅｓｓ  Ｃｈａｎｎｅｌ）送信を含まない、ソースセカンダリ基地局（Ｓ−ＳｅＮＢ）から前記Ｔ−ＳｅＮＢへのＳｅＮＢ変更手順において、ＳｅＮＢ再設定完了メッセージを前記ＭｅＮＢから受信し、その後に、上りリンク信号を前記ＵＥ装置から受信する受信部と、
前記上りリンク信号の受信に応じて、ＵＥ競合解決識別（ＵＥ  Ｃｏｎｔｅｎｔｉｏｎ  Ｒｅｓｏｌｕｔｉｏｎ  Ｉｄｅｎｔｉｔｙ）を前記ＵＥ装置に送信する送信部と、を備え、
前記ＵＥ競合解決識別は、前記ＵＥ装置がその受信を契機に前記ＳｅＮＢ変更手順を完了させるためのものである、Ｔ−ＳｅＮＢ。
【請求項１３】
前記ＳｅＮＢ変更手順において、
前記ＵＥ装置が、上りリンク許可情報を含むＲＲＣ（Ｒａｄｉｏ  Ｒｅｓｏｕｒｃｅ  Ｃｏｎｔｒｏｌ）接続再設定メッセージを前記ＭｅＮＢから受信し、
前記ＵＥ装置が、前記上りリンク許可情報に基づいて前記上りリンク信号を前記Ｔ−ＳｅＮＢへ送信する
請求項５又は９に記載の方法。
【請求項１４】
前記ＳｅＮＢ変更手順において、
前記受信部は、上りリンク許可情報を含むＲＲＣ（Ｒａｄｉｏ  Ｒｅｓｏｕｒｃｅ  Ｃｏｎｔｒｏｌ）接続再設定メッセージを前記ＭｅＮＢから受信し、
前記送信部は、前記上りリンク許可情報に基づいて前記上りリンク信号を前記Ｔ−ＳｅＮＢへ送信する
請求項６又は１０に記載のＵＥ装置。
【請求項１５】
前記ＳｅＮＢ変更手順において、
上りリンク許可情報を含むＲＲＣ（Ｒａｄｉｏ  Ｒｅｓｏｕｒｃｅ  Ｃｏｎｔｒｏｌ）接続再設定メッセージを前記ＭｅＮＢから受信する処理と、
前記上りリンク許可情報に基づいて前記上りリンク信号を前記Ｔ−ＳｅＮＢへ送信する処理と、を実行する
請求項７又は１１に記載のプロセッサ。
【発明の詳細な説明】
【優先権の主張】
【０００１】
本出願は、２０１６年１１月４日に出願された、発明の名称が「ＭＥＴＨＯＤＳ  ＦＯＲ  ＴＲＩＧＧＥＲＩＮＧ  ＡＮ  ＥＮＢ  ＴＯ  ＴＲＡＮＳＭＩＴ  Ａ  ＭＡＣ  ＭＥＳＳＡＧＥ」である仮出願番号第６２／４１７，５０７号に対する優先権を主張し、その全てが本出願の譲受人に譲渡されており、その全体が参照により本明細書に明示的に援用されている。
【技術分野】
【０００２】
本発明は、一般に無線通信に関し、より詳細には基地局からメッセージを要求するユーザ機器装置に関する。
【背景技術】
【０００３】
従来のシステムでは、ソース基地局（例えば、ソースｅＮＢ）からターゲット基地局（例えば、ターゲットｅＮＢ）へのユーザ機器（ＵＥ）装置のハンドオーバは、ソース基地局がハンドオーバ要求メッセージをターゲット基地局に送信すること（例えば、ハンドオーバを開始するため）と、ターゲット基地局がそれに応答してメッセージを送信することと、を伴う。ソース基地局は、ターゲット基地局の上りリンクリソースをＵＥ装置にシグナリングし、ＵＥ装置は、ＲＡＣＨ（Ｒａｎｄｏｍ  Ａｃｃｅｓｓ  Ｃｈａｎｎｅｌ）手順に上りリンクリソースを利用する。ＵＥ装置がターゲット基地局にハンドオーバされた後、ＵＥ装置は、ＲＡＣＨ手順の一部として、ターゲット基地局に上りリンク信号を送信する。ターゲット基地局は、ＵＥ装置の上りリンク送信がハンドオーバ後にターゲット基地局に同期されるために必要なＴＡ（Ｔｉｍｉｎｇ  Ａｄｖａｎｃｅ）を計算するために、ＵＥ装置から受信した上りリンク信号を使用する。ターゲット基地局は、ハンドオーバ手順の一部として、ターゲット基地局への上りリンクアクセスを得るためにＵＥ装置に必要とされる上りリンクリソースと共に、ＴＡをＲＡＲ（Ｒａｎｄｏｍ  Ａｃｃｅｓｓ  Ｒｅｓｐｏｎｓｅ）メッセージでシグナリングする。ＵＥ装置は、ＵＥ装置がＲＡＲメッセージをいつ受信したかに基づいて、ＵＥ装置のハンドオーバ手順がいつ完了したかを判定する。デュアルコネクティビティを提供する従来のシステムでは、ソースＳｅＮＢからターゲットＳｅＮＢへのＵＥ装置のセカンダリ基地局（ＳｅＮＢ）変更は、同様のＲＡＣＨ手順を利用する。
【発明の概要】
【０００４】
本明細書で説明される例は、デュアルコネクティビティを提供するシステムにおけるセカンダリ基地局（ＳｅＮＢ）変更手順を提供し、ＳｅＮＢ変更手順はＲＡＣＨ手順を含まない。ＳｅＮＢ変更手順の一部として、ＵＥ装置は、ターゲットセカンダリ基地局（ターゲットＳｅＮＢ）がＭＡＣ（Ｍｅｄｉａ  Ａｃｃｅｓｓ  Ｃｏｎｔｒｏｌ）メッセージをＵＥ装置に送信するという要求を生成する。いくつかの例では、要求を受信することに応答してターゲットＳｅＮＢが送信すべき特定のＭＡＣ制御要素を指定し得る。要求を受信すると、ターゲットＳｅＮＢは、要求された場合、ＴＡ情報と共に要求されたＭＡＣメッセージをＵＥ装置に送信する。ＵＥ装置は、要求されたＭＡＣメッセージがターゲットＳｅＮＢからいつ受信されるかに少なくとも部分的に基づいて、ＳｅＮＢ変更手順がいつ完了したかを判定する。
【図面の簡単な説明】
【０００５】
図１は、ターゲットセカンダリ基地局がＭＡＣメッセージをＵＥ装置に送信することをＵＥ装置が要求する通信システムのブロック図の一例である。
【０００６】
図２Ａは、図１に示される基地局の一例のブロック図である。
【０００７】
図２Ｂは、図１に示されるＵＥ装置の一例のブロック図である。
【０００８】
図３Ａは、図１に示される様々なシステム構成要素間で交換されるメッセージの一例のメッセージング図である。
【０００９】
図３Ｂは、ＭＡＣプロトコルデータユニット構造の一例のブロック図である。
【００１０】
図４は、ＵＥ装置が、ターゲットセカンダリ基地局がＭＡＣメッセージをＵＥ装置に送信することを要求する方法の一例のフローチャートである。
【発明を実施するための形態】
【００１１】
従来のシステムにおいてハンドオーバ中にターゲット基地局によってＵＥ装置に提供されるＴＡ（Ｔｉｍｉｎｇ  Ａｄｖａｎｃｅ）は、ハンドオーバ後にＵＥ装置の上りリンク送信がターゲット基地局に同期されるために必要とされる。上りリンク送信がターゲット基地局に適切に同期されていない場合、ターゲット基地局は送信を検出および復号することができないであろう。しかしながら、従来のシステムの１つの欠点は、ＴＡ判定ステップが、例えば、ハンドオーバ中にＴＡが判定される必要がない場合、ハンドオーバ手順の完了するために必要とされる時間量を増加させる。
【００１２】
ハンドオーバ手順を完了するために必要とされる時間を短縮するために、例えば、ハンドオーバ中にＴＡを判定する必要がない場合、ＲＡＣＨレスハンドオーバを使用することができる。本明細書で使用される際には、用語「ＲＡＣＨレスハンドオーバ」は、ハンドオーバ中にユーザ機器（ＵＥ）装置によるターゲット基地局（例えば、ターゲットｅＮＢ）へのＲＡＣＨ（Ｒａｎｄｏｍ  Ａｃｃｅｓｓ  Ｃｈａｎｎｅｌ）の送信をスキップすることを指す。ＲＡＣＨ手順はハンドオーバ遅延のかなりの部分であるので、ＲＡＣＨレスハンドオーバはハンドオーバ手順の遅延を大幅に改善する。しかし、ＲＡＣＨ手順が実行されない場合、任意の代替方法は、ＵＥ装置のハンドオーバがいつ正常に完了したかを判定できる方法をＵＥ装置に提供しなければならず、これは従来のシステムではＲＡＲメッセージを受信することによって判定される。
【００１３】
上記の要件以外に、ＵＥ装置にデュアルコネクティビティを提供する、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ）システムにおいて実行されるＲＡＣＨレスハンドオーバ手順は同様の考慮を必要とする。例えば、デュアルコネクティビティ（ＤＣ）は、専用のキャリア展開を用いて異種ネットワークにおける性能を向上させるために、ｅＮｏｄｅＢ（ｅＮＢ）とも呼ばれる異なる基地局から同時にＵＥ装置がデータを交換することを可能にする。ＬＴＥネットワークにおけるデュアルコネクティビティは、マスタｅＮＢ（ＭｅＮＢ）およびセカンダリｅＮＢ（ＳｅＮＢ）をそれぞれ介して、ユーザがマスタセルグループ（ＭＣＧ）およびセカンダリセルグループ（ＳＣＧ）に同時に接続されることを可能にすることによって、ユーザごとのスループットおよびモビリティロバスト性を大幅に改善できる。そのようなシステムでは、ＵＥ装置が移動するかまたは無線状態が変化すると、ＵＥ装置は、同じＭｅＮＢとの一次接続を維持してもよいが、第１ＳｅＮＢ（例えばソースＳｅＮＢ）から第２ＳｅＮＢ（例えば、ターゲットＳｅＮＢ）にハンドオーバされる二次接続を有してもよい。デュアルコネクティビティを提供するシステムにおけるこの種のハンドオーバは、セカンダリ基地局（ＳｅＮＢ）変更手順として知られている。
【００１４】
本明細書で説明される例は、ＲＡＣＨレスＳｅＮＢ変更手順を実行するための様々な技術を例示する。例えば、ＭｅＮＢは、ＲＲＣ（Ｒａｄｉｏ  Ｒｅｓｏｕｒｃｅ  Ｃｏｎｔｒｏｌ）接続再設定メッセージにおいて上りリンク許可をＵＥ装置に送信する。上りリンク許可は、ＵＥ装置がターゲットＳｅＮＢに上りリンク送信を送信するためのリソースを提供する。マスタｅＮＢからのＲＲＣ接続再設定メッセージの受信に応じて、ＵＥ装置は、ターゲットＳｅＮＢがＭＡＣメッセージをＵＥ装置に送信するという要求を生成する。ＵＥ装置は、ＲＲＣ接続再設定メッセージにおいて受信される上りリンク許可を使用して、要求を送信する。
【００１５】
要求を受信すると、ターゲットＳｅＮＢは、要求された場合、ＴＡ情報と共に要求されたＭＡＣメッセージをＵＥ装置に送信する。ＵＥ装置は、要求されたＭＡＣメッセージがターゲットＳｅＮＢからいつ受信されるかに少なくとも部分的に基づいて、ＳｅＮＢ変更手順がいつ完了したかを判定する。ＭＡＣメッセージで受信された不要な情報は、ＵＥ装置によって破棄される可能性がある。
【００１６】
図１は、ＭＡＣメッセージをターゲットセカンダリ基地局（ターゲットＳｅＮＢ）がＵＥ装置に送信することをＵＥ装置が要求する通信システムのブロック図の一例である。通信システム１００は、無線アクセスネットワークの一部である様々な基地局のそれぞれのサービスエリア内に位置するＵＥ装置に様々な無線サービスを提供する無線アクセスネットワーク（図示せず）の一部である。
【００１７】
明確さと簡潔さのために、通信システム１００は１つだけのマスタ基地局（ＭｅＮＢ）１０２および２つだけのセカンダリ基地局（ＳｅＮＢｓ）１０４，１０５のみを有するように示されている。しかしながら、他の例では、通信システム１００は任意の適切な数のマスタ基地局およびセカンダリ基地局を有することができる。図１の例では、マスタ基地局１０２のサービスエリア（セル）の少なくとも一部は、セル１０８によって表される。セカンダリ基地局１０４，１０５のそれぞれのサービスエリア（セル）の少なくとも一部は、セル１１２，１１６によって表される。セル１０８，１１２，１１６は楕円で表されているが、一般的な通信システム１００は複数のセルを有し、各セルは様々な形状の地理的サービスエリアを有する。さらに、図１の例では、セル１０８は、セル１１２，１１６の一部のみと重なっているように示されているが、他の例では、セル１１２、１１６の一方、または両方を完全にセル１０８内に配置されてもよい。
【００１８】
ｅＮｏｄｅＢまたはｅＮＢと呼ばれることもある基地局１０２，１０４，１０５は、ＵＥ装置と接続されるとき、それぞれ下りリンク信号１１０，１１４，１２２を送信することによって、無線ユーザ機器（ＵＥ）装置１０６と通信する。基地局１０２，１０４，１０５は、ＵＥ装置１０６と接続されるとき、ＵＥ装置１０６から送信された上りリンク信号１１８，１２０，１２４をそれぞれ受信する。ＵＥ装置１０６は、例えば、携帯電話、トランシーバモデム、携帯情報端末（ＰＤＡ）、タブレット、またはスマートフォンなどの任意の無線通信装置である。
【００１９】
基地局１０２，１０４，１０５は、既知の技術に従ってバックホール（図示せず）を介してネットワークに接続されている。図２Ａに示すように、マスタ基地局１０２は、制御部２０４、送信部２０６、および受信部２０８、ならびに他の電子機器、ハードウェア、およびコードを含む。図２Ａは、マスタ基地局１０２の回路および構成を具体的に示しているが、マスタ基地局１０２に関連して図示および説明される同一の基地局の回路および構成は、図１に示される例では、セカンダリ基地局１０４，１０５にも利用される。他の例では、セカンダリ基地局１０４，１０５の一方または両方は、マスタ基地局１０２とは異なる回路および／または構成を有していてもよい。
【００２０】
マスタ基地局１０２は、本明細書で説明される機能を実行する任意の固定、モバイル、またはポータブル機器である。マスタ基地局１０２を参照して説明されるブロックの様々な機能および動作は、任意の数の装置、回路、または要素で実施されてもよい。機能ブロックのうちの２つ以上は単一装置に統合されてもよく、任意の単一装置で実行されるものとして説明される機能は、いくつかの装置にわたって実施されてもよい。
【００２１】
図２Ａに示すように、マスタ基地局１０２は、システム導入時に特定の場所に設置される固定装置または器具であってもよい。そのような機器の例には、固定基地局または固定トランシーバ局が含まれる。ある状況では、マスタ基地局１０２は、特定の場所に一時的に設置されているモバイル機器であってもよい。そのような機器のいくつかの例には、発電機、太陽電池パネル、および／または電池などの発電機器を含み得る移動式トランシーバ局が含まれる。そのような装置のより大きくより重いバージョンは、トレーラーによって輸送されてもよい。さらに他の状況では、マスタ基地局１０２は、任意の特定の場所に固定されていないポータブル機器であってもよい。したがって、マスタ基地局１０２は、状況によっては、ＵＥ装置などのポータブルユーザ装置であってもよい。
【００２２】
制御部２０４は、マスタ基地局１０２の全体的な機能性を容易にするのと同様に、本明細書で説明される機能を実行するためのハードウェア、ソフトウェア、および／またはファームウェアの任意の組み合わせを含んでもよい。適切な制御部２０４の一例は、メモリに接続されたマイクロプロセッサまたはプロセッサ配列で実行するコードを含む。送信部２０６は、無線信号を送信する電子機器を含む。状況によっては、送信部２０６は複数の送信機を含んでもよい。受信部２０８は、無線信号を受信する電子機器を含む。状況によっては、受信部２０８は複数の受信機を含んでいてもよい。受信部２０８および送信部２０６は、それぞれアンテナ２１０を介して信号を送受信する。アンテナ２１０は、別々の送信アンテナと受信アンテナを含んでもよい。状況によっては、アンテナ２１０は複数の送信アンテナおよび受信アンテナを含んでもよい。
【００２３】
図２Ａの例における送信部２０６および受信部２０８は、変調および復調を含む無線周波数（ＲＦ）処理を実行する。したがって、受信部２０８は、低雑音増幅器（ＬＮＡ）およびフィルタなどの構成要素を含んでもよい。送信部２０６は、フィルタおよび増幅器を含んでもよい。他の構成要素は、アイソレータ、整合回路、および他のＲＦ構成要素を含んでもよい。これらの構成要素は他の構成要素と組み合わせてまたは連携して基地局の機能を実行する。必要な構成要素は、基地局によって必要とされる特定の機能に依存してもよい。
【００２４】
送信部２０６は変調部（図示せず）を含み、受信部２０８は復調部（図示せず）を含む。変調部は、下りリンク信号１１０の一部として送信される信号を変調し、複数の変調次数のうちの任意の１つを適用し得る。復調部は、複数の変調次数のうちの１つに従ってマスタ基地局１０２で受信される任意の上りリンク信号１１８を復調する。
【００２５】
図１に戻ると、通信システム１００は、基地局１０２，１０４，１０５を介して様々な無線サービスをＵＥ装置１０６に提供する。本明細書の例では、通信システム１００は、３ＧＰＰ  ＬＴＥ（ｔｈｅ  ３ｒｄ  Ｇｅｎｅｒａｔｉｏｎ  ｐａｒｔｎｅｒｓｈｉｐ  ｐｒｏｊｅｃｔ  Ｌｏｎｇ  Ｔｅｒｍ  Ｅｖｏｌｕｔｉｏｎ）通信仕様の少なくとも１つの改訂に従って動作する。ＵＥ装置１０６は、最初にマスタ基地局１０２およびソースＳｅＮＢ（Ｓ−ＳｅＮＢ）１０４によってサービス提供される。したがって、図２Ｂに示されるように、ＵＥ装置１０６は、アンテナ２１２および受信部２１４を介して下りリンク信号１１０，１１４を受信する。アンテナ２１２および受信部２１４に加えて、ＵＥ装置１０６はさらに、制御部２１６および送信部２１８、ならびに他の電子機器、ハードウェア、およびコードを含む。ＵＥ装置１０６は、本明細書で説明される機能を実行する任意の固定、モバイル、またはポータブル機器である。ＵＥ装置１０６を参照して説明されるブロックの様々な機能および動作は、任意の数の装置、回路、または要素で実施されてもよい。機能ブロックのうちの２つ以上は単一装置に統合されてもよく、任意の単一装置で実行されるものとして説明される機能は、いくつかの装置にわたって実施されてもよい。
【００２６】
制御部２１６は、ＵＥ装置の全体的な機能性を容易にするのと同時に、本明細書で説明される機能を実行するためのハードウェア、ソフトウェア、および／またはファームウェアの任意の組合せを含む。適切な制御部２１６の一例は、メモリに接続されたマイクロプロセッサまたはプロセッサ配列で実行するコードを含む。送信部２１８は、無線信号を送信する電子機器を含む。状況によっては、送信部２１８は複数の送信機を含んでもよい。受信部２１４は、無線信号を受信する電子機器を含む。状況によっては、受信部２１４は複数の受信機を含んでもよい。受信部２１４および送信部２１８は、それぞれアンテナ２１２を介して信号を送受信する。アンテナ２１２は、別々の送信アンテナと受信アンテナを含んでもよい。状況によっては、アンテナ２１２は、複数の送信アンテナおよび受信アンテナを含んでもよい。
【００２７】
図２Ｂの例における送信部２１８および受信部２１４は、変調および復調を含む無線周波数（ＲＦ）処理を実行する。したがって、受信部２１４は、低雑音増幅器（ＬＮＡ）およびフィルタなどの構成要素を含んでもよい。送信部２１８は、フィルタおよび増幅器を含んでもよい。他の構成要素は、アイソレータ、整合回路、および他のＲＦ構成要素を含んでもよい。これらの構成要素は他の構成要素と組み合わせてまたは連携してＵＥ装置の機能を実行する。必要な構成要素は、ＵＥ装置によって必要とされる特定の機能に依存してもよい。
【００２８】
送信部２１８は変調部（図示せず）を含み、受信部２１４は復調部（図示せず）を含む。変調部は、図１に示されるように上りリンク信号１１８，１２０，１２４の一部として送信される信号を変調するために、複数の変調次数のうちの任意の１つを適用し得る。復調部は、複数の変調次数のうちの１つに従って下りリンク信号１１０，１１４，１２２を復調する。
【００２９】
図１に示す例の動作の開始時に、ＵＥ装置１０６はマスタ基地局１０２およびソースＳｅＮＢ１０４によってサービス提供されている。したがって、ＵＥ装置１０６は、下りリンク信号１１０，１１４を受信すると、マスタ基地局１０２およびソースＳｅＮＢ１０４がＵＥ装置１０６に提供している無線サービスのうちの少なくとも１つに関するデータを含む符号化データパケットをもたらす下りリンク信号１１０，１１４を復調する。ＵＥ装置１０６は、データを取得するために、制御部２１６を使用して符号化データパケットを復号する。
【００３０】
セカンダリ基地局（ＳｅＮＢ）変更手順基準が満たされると、ＳｅＮＢ変更手順が開始される。ＳｅＮＢ変更手順基準は、例えば、ソースＳｅＮＢ１０４での無線混雑、ＵＥ装置１０６の上りリンク／下りリンク信号における劣悪／悪化した信号品質、および／またはターゲットＳｅＮＢ１０５による利用可能なリソースの不十分な利用を含んでもよい。しかしながら、他の任意の適切な基準が使用され得る。上述したように、ＳｅＮＢ変更手順を実行するとき、ＵＥ装置１０６は、マスタ基地局１０２とのその一次接続を維持するが、その二次接続をソースＳｅＮＢ１０４からターゲットＳｅＮＢ１０５にハンドオーバする。
【００３１】
ＳｅＮＢ変更手順を開始するために、マスタ基地局１０２は、有線（例えば、Ｘ２）または無線通信リンクを介して、ＳｅＮＢ追加要求をターゲットＳｅＮＢ１０５に送信する。送信が無線である場合、マスタ基地局１０２は、ＳｅＮＢ追加要求を送信するために、送信部２０６およびアンテナ２１０を使用し、ターゲットＳｅＮＢ１０５は、そのアンテナ２１０および受信部２０８を介して、ＳｅＮＢ追加要求の無線送信を受信する。ターゲットＳｅＮＢ１０５へのＳｅＮＢ追加要求の送信は、信号３０２によって図３Ａに表される。
【００３２】
ターゲットＳｅＮＢ１０５がＵＥ装置１０６のＳｅＮＢとしてサービス提供することに同意する場合、ターゲットＳｅＮＢ１０５は、有線接続または無線接続を介して、マスタ基地局１０２にＳｅＮＢ追加要求肯定応答メッセージを送信する。ＳｅＮＢ追加要求確認応答の送信は、信号３０４によって図３Ａに示されている。ＳｅＮＢ追加要求肯定応答を受信すると、マスタ基地局１０２は、有線（例えば、Ｘ２）または無線通信リンクを介して、ソースＳｅＮＢ１０４にＳｅＮＢ解放要求を送信し、これはソースＳｅＮＢ１０４にＵＥ装置１０６の二次接続がターゲットＳｅＮＢ１０５にハンドオーバされることを知らせる。ＳｅＮＢ解放要求メッセージの送信は、信号３０６によって図３Ａに表される。
【００３３】
マスタ基地局１０２はＲＲＣ（Ｒａｄｉｏ  Ｒｅｓｏｕｒｃｅ  Ｃｏｎｔｒｏｌ）接続再設定メッセージをＵＥ装置１０６に送信する。ＲＲＣ接続再設定メッセージは、ターゲットＳｅＮＢ１０５がＭＡＣ（Ｍｅｄｉａ  Ａｃｃｅｓｓ  Ｃｏｎｔｒｏｌ）メッセージをＵＥ装置１０６に送信するという要求を送信するためにＵＥ装置１０６が利用する上りリンク許可情報を含む。ＲＲＣ接続再設定メッセージはまた、ターゲットＳｅＮＢ１０５がＵＥ装置１０６に送信するＭＡＣメッセージを検出および復号するために、ＵＥ装置１０６によって使用される情報を含んでもよい。ＲＲＣ接続再設定メッセージはまた、ＵＥ装置１０６が、ターゲットＳｅＮＢ１０５によって送信されることになるＲＡＲメッセージのためのＰＤＣＣＨ（Ｐｈｙｓｉｃａｌ  Ｄｏｗｎｌｉｎｋ  Ｃｏｎｔｒｏｌ  Ｃｈａｎｎｅｌ）を監視すべきウィンドウの長さに関する情報を含んでもよい。ＲＲＣ接続再設定メッセージの送信は、信号３０８によって図３Ａに表される。
【００３４】
ＲＲＣ接続が再設定されると、ＵＥ装置１０６はＲＲＣ接続再設定完了メッセージをマスタ基地局１０２に送信する。ＲＲＣ接続再設定完了メッセージは、信号３１０によって図３Ａに表される。ＲＲＣ接続再設定完了メッセージを受信すると、マスタ基地局１０２は、（１）ＵＥ装置１０６がソースＳｅＮＢ１０４からターゲットＳｅＮＢ１０５に二次接続を切り替えるように再設定すること、および（２）ターゲットＳｅＮＢ１０５がＵＥ装置１０６からの上りリンク送信を受信するための準備をされるべきであること、をターゲットＳｅＮＢ１０５に通知するために、ターゲットＳｅＮＢ１０５にＳｅＮＢ再設定完了メッセージを送信する。ＳｅＮＢ再設定完了メッセージは、信号３１２によって図３Ａに表される。
【００３５】
ＲＲＣ接続再設定メッセージを受信すると、ＵＥ装置１０６は、ＭＡＣメッセージをターゲットＳｅＮＢ１０５がＵＥ装置１０６に送信するという要求を生成する。いくつかの例では、要求は、ターゲットＳｅＮＢ１０５に送信されることになるＭＡＣ  ＰＤＵ（Ｐｒｏｔｏｃｏｌ  Ｄａｔａ  Ｕｎｉｔ）のサブヘッダに位置するＬＣＩＤ（Ｌｏｇｉｃａｌ  Ｃｈａｎｎｅｌ  Ｉｄｅｎｔｉｆｉｅｒ）を含む。図３Ｂは、ＭＡＣヘッダ３２２およびＭＡＣペイロード３２４を含むＭＡＣ  ＰＤＵ構造３２０の一例を示す。ＭＡＣヘッダ３２２は、ＭＡＣペイロード３２４に含まれる情報の種類を識別する１つ以上のサブヘッダ３２６を含む。ＭＡＣペイロード３２４の各エントリに関連付けられたサブヘッダ３２６がある。図３Ｂから分かるように、ＭＡＣペイロード３２４の最初の部分は、１つ以上のＭＡＣ  ＳＤＵｓ（Ｓｅｒｖｉｃｅ  Ｄａｔａ  Ｕｎｉｔｓ）３３０が後に続く１つ以上のＭＡＣ制御要素３２８を含む。ＭＡＣ  ＳＤＵｓは、ＲＲＣメッセージなどの制御データおよびユーザデータを含む。図３Ｂに示す例では、サブヘッダ１はＭＡＣ制御要素３２８と関連付けられ、サブヘッダ２はＭＡＣ  ＳＤＵ３３０と関連付けられている。
【００３６】
いくつかの例では、ＬＣＩＤ自体が、ターゲットＳｅＮＢ１０５がＵＥ競合解決識別ＭＡＣ制御要素などの特定のＭＡＣ制御要素をＵＥ装置１０６に送信することを要求するように定義される。これらの例では、サブヘッダ（例えば、サブヘッダ１）にあるＬＣＩＤのみが特定のＭＡＣ制御要素または他のＭＡＣメッセージを要求するために使用され、その要求にペイロード情報は必要とされない。他の例では、要求は、ターゲットＳｅＮＢ１０５がＲＡＲ（Ｒａｎｄｏｍ  Ａｃｃｅｓｓ  Ｒｅｓｐｏｎｓｅ）メッセージをＵＥ装置１０６に送信すべきであるということである。
【００３７】
あるいは、ＬＣＩＤは、ＭＡＣペイロード３２４に配置されるＭＡＣ制御要素が要求されたコマンドを識別することを示す一般的なＭＡＣコマンド要求とし得る。例えば、ＭＡＣ  ＰＤＵ３２０のサブヘッダ３２６に含まれるＬＣＩＤは、ＭＡＣコマンド要求値に設定され、要求された特定のＭＡＣ制御要素またはＭＡＣメッセージ（例えば、ＵＥ競合解決識別またはＲＡＲ）は、ＭＡＣコマンド要求ＬＣＩＤを含むサブヘッダに対応するＭＡＣ  ＳＤＵ３３０に配置される値によって識別される。
【００３８】
いくつかの例では、ＳｅＮＢ変更手順のＲＲＣ接続再設定メッセージで受信される上りリンク許可情報を使用してターゲットＳｅＮＢ１０５に送信される任意のＭＡＣメッセージは、ターゲットＳｅＮＢ１０５がＭＡＣメッセージをＵＥ装置１０６に送信するという要求である。いくつかの例では、ＳｅＮＢ再設定完了メッセージを受信することは、ターゲットＳｅＮＢ１０５がＭＡＣメッセージをＵＥ装置１０６に送信するという要求である。
【００３９】
本明細書で説明される例では、ＭＡＣメッセージは、例えば、３ＧＰＰ  ＬＴＥ（ｔｈｅ  ３ｒｄ  Ｇｅｎｅｒａｔｉｏｎ  ｐａｒｔｎｅｒｓｈｉｐ  ｐｒｏｊｅｃｔ  Ｌｏｎｇ  Ｔｅｒｍ  Ｅｖｏｌｕｔｉｏｎ）ＭＡＣ仕様で指定されているようなピアＭＡＣレイヤ（レイヤ２）プロトコルエンティティで開始および終了する制御情報を含み、さらにＲＡＲ（Ｒａｎｄｏｍ  Ａｃｃｅｓｓ  Ｒｅｓｐｏｎｓｅ）メッセージなどのＭＡＣメッセージおよびＭＡＣ制御要素を含む。
【００４０】
ターゲットＳｅＮＢ１０５がＭＡＣメッセージを送信すべきであるという要求のフォーマットにかかわらず、ＵＥ装置１０６は、送信部２１８およびアンテナ２１２を介して、上りリンク送信１２４においてターゲットＳｅＮＢ１０５に要求を送信する。これらの例では、ターゲットＳｅＮＢ１０５への要求の送信は、信号３１４によって図３Ａに表される。
【００４１】
ターゲットＳｅＮＢ１０５は、アンテナ２１０および受信部２０８を介して要求を受信する。要求を受信すると、ターゲットＳｅＮＢ１０５は、受信した要求に従ってＭＡＣメッセージを生成するために制御部２０４を利用する。より具体的には、いくつかの例では、ターゲットＳｅＮＢ１０５は、ＵＥ装置１０６からの要求に示される特定のＭＡＣ制御要素を含むＭＡＣメッセージを生成する。例えば、要求がＵＥ競合解決識別ＭＡＣ制御要素に対するものであった場合、ターゲットＳｅＮＢ１０５は、ＵＥ競合解決識別ＭＡＣ制御要素を含むＭＡＣメッセージを生成するであろう。同様に、要求がＲＡＲに対してであった場合、ターゲットＳｅＮＢ１０５はＲＡＲを含むＭＡＣメッセージを生成するであろう。
【００４２】
ターゲットＳｅＮＢ１０５は、送信部２０６およびアンテナ２１０を介して、要求されたＭＡＣメッセージを含むＭＡＣメッセージ（例えば、ＵＥ競合解決識別ＭＡＣ制御要素またはＲＡＲ）をＵＥ装置１０６に送信する。ＭＡＣメッセージの送信は、信号３１６によって図３Ａに表される。
【００４３】
要求の送信後、ＵＥ装置１０６は、要求に応答してターゲットＳｅＮＢ１０５によって送信されるＭＡＣ送信を受信するために、ＰＤＣＣＨ（Ｐｈｙｓｉｃａｌ  Ｄｏｗｎｌｉｎｋ  Ｃｏｎｔｒｏｌ  Ｃｈａｎｎｅｌ）を監視する。要求がＲＡ（Ｒａｎｄｏｍ  Ａｃｃｅｓｓ）応答に対するものであった実施形態では、ＵＥ装置１０６は、システム情報またはＲＲＣ接続再設定メッセージに含まれるモビリティ制御情報から得られるサイズを有するＰＤＣＣＨ  ＲＡ（Ｒａｎｄｏｍ  Ａｃｃｅｓｓ）応答ウィンドウの間に、ＰＤＣＣＨを監視する。いくつかの例では、ＰＤＣＣＨ  ＲＡ応答ウィンドウは、要求がターゲットＳｅＮＢ１０５に送信されたサブフレームで、または要求がターゲットＳｅＮＢ１０５に送信されたサブフレームに関連する点で、開始する。例えば、ＰＤＣＣＨ  ＲＡ応答ウィンドウは、ＵＥ装置１０６によって送信される要求（例えば、ＭＡＣメッセージ）の終わりを含むサブフレームで、または要求（例えば、ＭＡＣメッセージ）の終わりに３つのサブフレームを加えたものを含むサブフレームで、開始するように設定され得る。他の例では、ＰＤＣＣＨ  ＲＡ応答ウィンドウは、ターゲットＳｅＮＢ１０５によって提供されるＲＡＣＨ（Ｒａｎｄｏｍ  Ａｃｃｅｓｓ  Ｃｈａｎｎｅｌ）パラメータに含まれるサブフレーム値で、またはターゲットＳｅＮＢ１０５によって提供されるＲＡＣＨパラメータに３つのサブフレームを加えたものに含まれるサブフレーム値で、開始する。前述の例で参照される３つの追加サブフレームは、現在のＬＴＥ仕様に基づく。しかしながら、他の適切なサブフレームオフセット（例えば、異なる数の追加サブフレーム）が使用されてもよい。
【００４４】
ＵＥ装置１０６がＰＤＣＣＨ  ＲＡ応答ウィンドウ中にアンテナ２１２および受信部２１４を介してＲＡＲメッセージを受信するために、ＵＥ装置１０６は、ＵＥ装置１０６によって要求が送信されるサブフレームに関連付けられるサブフレームインデックスを使用して、ＲＡ&#8722;ＲＮＴＩ（Ｒａｎｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｆｉｅｒ）を判定するために制御部２１６を利用する。他の例では、ＵＥ装置１０６は、ターゲットＳｅＮＢ１０５によって提供されるＲＡＣＨ（Ｒａｎｄｏｍ  Ａｃｃｅｓｓ  Ｃｈａｎｎｅｌ）パラメータに含まれるサブフレーム値に関連付けられるサブフレームインデックスを使用して、ＲＡ&#8722;ＲＮＴＩを判定するために制御部２１６を利用する。ＲＡ&#8722;ＲＮＴＩを判定するために使用される方法にかかわらず、ＲＡ&#8722;ＲＮＴＩは、どのＵＥ装置がターゲットＳｅＮＢ１０５によって送信されるＲＡＲメッセージのターゲットであるかを示す。したがって、ＵＥ装置１０６は、受信されたＲＡＲメッセージが実際にはＵＥ装置１０６を対象とすることを確認するために、ＲＡ&#8722;ＲＮＴＩを利用する。
【００４５】
要求がＭＡＣメッセージまたはＭＡＣ制御要素に対するものであった実施形態では、ＵＥ装置１０６は、ＭＡＣメッセージを含むＰＤＳＣＨ（Ｐｈｙｓｉｃａｌ  Ｄｏｗｎｌｉｎｋ  Ｓｈａｒｅｄ  Ｃｈａｎｎｅｌ）で下りリンク割り当てを受信するためにＰＤＣＣＨを監視する。
【００４６】
ＵＥ装置１０６が要求されたＭＡＣメッセージをいつ受信するかに少なくとも部分的に基づいて、ＵＥ装置１０６に対するＳｅＮＢ変更手順（例えば、ソースＳｅＮＢ１０４からターゲットＳｅＮＢ１０５へ）がいつ完了されるかを判定するために、ＵＥ装置１０６は制御部２１６を使用する。
【００４７】
図３Ａは、図１に示す様々なシステム構成要素間で交換されるメッセージの一例のメッセージング図である。この例では、マスタ基地局１０２は、信号３０２を介してターゲットＳｅＮＢ１０５にＳｅＮＢ追加要求を送信する。それに応答して、ターゲットＳｅＮＢ１０５は、信号３０４を介してマスタ基地局１０２にＳｅＮＢ追加要求肯定応答を送信する。ＳｅＮＢ追加要求肯定応答を受信すると、信号３０６を介してマスタ基地局１０２はＳｅＮＢ解放要求をソースＳｅＮＢ１０４に送信する。
【００４８】
マスタ基地局１０２は、ＲＲＣ接続再設定メッセージをＵＥ装置１０６に送信し、それは信号３０８によって表される。上述のように、ＲＲＣ接続再設定メッセージは、（１）ＵＥ装置１０６によって要求される上りリンク許可情報、（２）ターゲットＳｅＮＢ１０５がＵＥ装置１０６に送信することになるＭＡＣメッセージを検出および復号するためにＵＥ装置１０６によって使用される情報、および（３）ターゲットＳｅＮＢ１０５によって送信されることになるＲＡＲメッセージのためにＵＥ装置１０６がＰＤＣＣＨ（Ｐｈｙｓｉｃａｌ  Ｄｏｗｎｌｉｎｋ  Ｃｏｎｔｒｏｌ  Ｃｈａｎｎｅｌ）を監視すべきウィンドウの長さに関する情報、を含んでもよい。
【００４９】
ＲＲＣ接続が再設定されると、ＵＥ装置１０６は、信号３１０を介してＲＲＣ接続再設定完了メッセージをマスタ基地局１０２に送信する。ＲＲＣ接続再設定完了メッセージを受信すると、マスタ基地局１０２は、（１）ＵＥ装置１０６がソースＳｅＮＢ１０４からターゲットＳｅＮＢ１０５にその二次接続を切り替えるために再設定されること、および（２）ターゲットＳｅＮＢ１０５は、ＵＥ装置１０６からの上りリンク送信を受信するために準備されるべきであること、をターゲットＳｅＮＢ１０５に通知するために、ターゲットＳｅＮＢ１０５にＳｅＮＢ再設定完了メッセージを送信する。ＳｅＮＢ再設定完了メッセージは、信号３１２で表される。
【００５０】
ＲＲＣ接続再設定メッセージを受信すると、ＵＥ装置１０６は、上述したように、ターゲットＳｅＮＢ１０５がＭＡＣメッセージをＵＥ装置１０６に送信すべきであるという要求を生成する。ＵＥ装置１０６は、上りリンク送信１２４においてターゲットＳｅＮＢ１０５に要求を送信する。ターゲットＳｅＮＢ１０５への要求の送信は、信号３１４によって表される。
【００５１】
要求を受信すると、ターゲットＳｅＮＢ１０５は、ＵＥ装置１０６からの要求に示される特定のＭＡＣメッセージを生成する。ターゲットＳｅＮＢ１０５は、要求されたＭＡＣメッセージ（例えば、ＵＥ競合解決識別ＭＡＣ制御要素またはＲＡＲ）をＵＥ装置１０６に送信する。ＭＡＣメッセージの送信は、信号３１６によって表される。いくつかの例では、ＭＡＣメッセージはまた、ＳｅＮＢ変更手順が完了した後にＵＥ装置１０６がその上りリンク送信をターゲットＳｅＮＢに同期させるのに必要なＴＡ情報も含む。
【００５２】
図４は、ターゲットＳｅＮＢがＭＡＣメッセージをＵＥ装置に送信することをＵＥ装置が要求する方法の一例のフローチャートである。方法４００のステップは、本明細書で説明され図４の例に示されるのとは異なる順序で実行されてもよい。さらに、いくつかの例では、１つまたは複数のステップが省略されてもよい。さらに、他の例では、１つまたは複数の追加のステップが追加されてもよい。
【００５３】
方法４００は、ステップ４０２で、ＵＥ装置１０６において、ターゲットＳｅＮＢ１０５がＵＥ装置１０６に特定のＭＡＣメッセージを送信すべきであるという要求を生成することから始まる。ステップ４０４において、ＵＥ装置１０６は、上りリンク送信においてターゲットＳｅＮＢ１０５に要求を送信する。ステップ４０６において、ＰＤＣＣＨ（Ｐｈｙｓｉｃａｌ  Ｄｏｗｎｌｉｎｋ  Ｃｏｎｔｒｏｌ  Ｃｈａｎｎｅｌ）  ＲＡ（Ｒａｎｄｏｍ  Ａｃｃｅｓｓ）応答ウィンドウが設定され、ＵＥ装置１０６は、ＰＤＣＣＨ  ＲＡ応答ウィンドウの間、要求されたＭＡＣメッセージのためのＰＤＣＣＨを監視する。
【００５４】
ステップ４０８において、ＵＥ装置１０６は、ターゲットＳｅＮＢ１０５から受信されるＭＡＣメッセージが、ＵＥ装置１０６が対象であることを確認するために使用されるＲＡ&#8722;ＲＮＴＩ（Ｒａｎｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｆｉｅｒ）を判定する。ステップ４１０において、要求を受信することに応答して、ターゲットＳｅＮＢ１０５は要求されたＭＡＣメッセージを生成し、要求されたＭＡＣメッセージをＵＥ装置１０６に送信する。ステップ４１２において、ＵＥ装置１０６は、ＵＥ装置１０６が要求されたＭＡＣメッセージをいつ受信するかに少なくとも部分的に基づいて、ＳｅＮＢ変更手順（例えば、ソースＳｅＮＢ１０４からターゲットＳｅＮＢ１０５へ）がいつ完了するかを判定する。
【００５５】
明らかに、本発明の他の実施形態および変形はこれらの教示を考慮して当業者には容易に思い浮かぶであろう。上記の説明は例示的なものであり、限定的なものではない。本発明は、上記の明細書および添付の図面と併せて見たときに、全てのそのような実施形態および変形を含む以下の特許請求の範囲によってのみ限定されるべきである。したがって、本発明の範囲は、上記の説明を参照して決定されるべきではなく、その代わりに添付の特許請求の範囲をそれらの均等物の全範囲と共に参照して決定されるべきである。
【図１】
2020123986.tif 000003
【図２Ａ】
2020123986.tif 000004
【図２Ｂ】
2020123986.tif 000005
【図３Ａ】
2020123986.tif 000006
【図３Ｂ】
2020123986.tif 000007
【図４】
2020123986.tif 000008